(57)【要約】【課題】  騒音低減化や省エネ化を更に向上できる空気調和機の室外機を得る。【解決手段】  空気調和機の室外機は、取付足１１５の上に取り付けられた底板１１４と、この底板上の三方を囲むように配置された断面コ字状の熱交換器１０６と、底板上で且つ熱交換器の内側に配置された圧縮機等のタンク類１１２と、前記熱交換器より上方で且つ前記底板に対向する位置に配置されたシュラウド１１０と、このシュラウドの内側に配置されたプロペラファン１０７及びモータ１０８で構成された送風機とを備え、上吹きタイプに構成されている。熱交換器１０６は、室外機の四側面の三面から空気を吸込むように配置され、熱交換器が配置されていない一側面は正面１０２として構成される。前記底板下部の取付足内部には、圧縮機及び送風機を制御するための電気箱１１１が配置されている。【選択図】図１
2009052856.tif 000002
【特許請求の範囲】
【請求項１】
取付足の上に取り付けられた底板と、この底板上の三方を囲むように配置された断面コ字状の熱交換器と、前記底板上で且つ前記熱交換器の内側に配置された圧縮機等のタンク類と、前記熱交換器より上方で且つ前記底板に対向する位置に配置されたシュラウドと、このシュラウドの内側に配置されたプロペラファン及びこれを駆動するモータで構成された送風機とを備えた上吹きタイプの空気調和機の室外機において、
前記コ字状の熱交換器は、室外機の四側面の三面から空気を吸込むように配置され、前記室外機の四側面のうち熱交換器が配置されていない一側面を正面として構成すると共に、
前記底板下部の取付足内部に、前記圧縮機及び送風機を制御するための電気箱を配置したことを特徴とする空気調和機の室外機。
【請求項２】
請求項１において、前記プロペラファンを上面から見て反時計回りに回転するように構成すると共に、前記タンク類を、室外機の正面側で且つ正面に向かって右側に配置したことを特徴とする空気調和機の室外機。
【請求項３】
請求項２において、前記タンク類は圧縮機であり、この圧縮機全体を、正面に向かって室外機中央部よりも右側に寄せて配置したことを特徴とする空気調和機の室外機。
【請求項４】
請求項１において、前記プロペラファンを上面から見て時計回りに回転するように構成すると共に、前記タンク類を、室外機の正面側で且つ正面に向かって左側に寄せて配置したことを特徴とする空気調和機の室外機。
【請求項５】
取付足の上に取り付けられた底板と、この底板上の三方を囲むように配置された断面コ字状の熱交換器と、前記底板上で且つ前記熱交換器の内側に配置された圧縮機等のタンク類と、前記熱交換器より上方で且つ前記底板に対向する位置に配置されたシュラウドと、このシュラウドの内側に配置された送風機と、前記圧縮機及び送風機を制御するための電気品を収納する電気箱とを備えた空気調和機の室外機において、
前記底板下部の取付足内部に前記電気箱を設置したことを特徴とする空気調和機の室外機。
【請求項６】
請求項５において、前記取付足の両側にはフォークリフトのフォークを挿入するための差込口が設けられ、前記両側に設けられた差込口の間に前記電気箱が設置されていることを特徴とする空気調和機の室外機。
【請求項７】
請求項６において、前記電気箱は、前記取付足のうちの室外機の前面及び背面に配置された部分に固定設置されていることを特徴とする空気調和機の室外機。
【発明の詳細な説明】
【技術分野】
【０００１】
本発明は空気調和機の室外機に係り、特に室外機の騒音低減，小形化に関するものである。
【背景技術】
【０００２】
空気調和機の室外機の内部には、圧縮機，送風機及びこれらをコントロールする電気品を収めた電気箱等が設置されている。しかし、この電気箱は熱交換器を通過した空気の流れを阻害し、通風抵抗が大きくなって、送風騒音に大きな影響を及ぼす。この問題を解決するために、特開２００４−１５６８００号公報のものでは、熱交換器が軸流ファンを囲うように配置され、室外ユニット側面から外気を吸込み、上面から吹き出すようにすると共に、軸流ファンとこの軸流ファンの上流側に配置された電装品箱の重なり面積Ｓｃが、軸流ファンの送風面積Ｓｄとの比（Ｓｃ／Ｓｄ）で０.０９以下となるように構成している。この条件を満たすため、従来では、電気箱を、室外機正面に向かってその右側に配置したり、送風機のモータの直下に配置している。
【０００３】
また、特開２００６−１５３３３４号公報のものでは、熱交換器の風速分布を改善するため、室外機内部の送風機上流側を制御箱と仕切り板により、熱交換器側と反熱交換器側に空気流路を分割し、熱交換器の下部から吸い込まれた空気は主に反熱交換器側の流路を通って送風機に吸い込まれるようにし、熱交換器の上部から吸い込まれた空気は前記熱交換器側の流路を通って送風機に吸い込まれるようにしている。
【０００４】
【特許文献１】特開２００４−１５６８００号公報  図２，図６
【特許文献２】特開２００６−１５３３３４号公報  図１
【発明の開示】
【発明が解決しようとする課題】
【０００５】
ビルや店舗用の空気調和機の室外機はビルの屋上や建物と建物の間に置かれることが多く、住民等は室外機の運転音を常に耳にすることになる。このため、室外機の低騒音化が求められており、年々低騒音化されている。また近年、空調機の省エネ化も進んできている。
【０００６】
ところで、空気調和機の室外機において、低騒音化と省エネ化、その一部を担う送風機の入力低減化には深い関係があり、送風機の入力低減のためには、室外機の通風抵抗を下げることが効果的で、これは送風騒音の低減にもつながる。
【０００７】
室外機の通風抵抗は、熱交換器の通風抵抗に加え、圧縮機等のタンク，配管類，圧縮機や送風機等をコントロールする電気箱，モータ、及びモータを支えるモータクランプ等の配置で決まる通風抵抗と、空気の流れが曲がるときの抵抗で決まる。室外機の構造により、室外機全体の通風抵抗に対して各要素の通風抵抗割合は異なるが、その中でも電気箱の通風抵抗は比較的大きい。前記特許文献に記載の従来技術は、電気箱の形状や設置位置を工夫して通風抵抗を低減させ、騒音低減化や省エネ化を図ろうとするものであるが、近年、更なる騒音低減化や省エネ化のニーズが要求されている。
【０００８】
本発明の目的は、騒音低減化や省エネ化を更に向上できる空気調和機の室外機を得ることにある。
【課題を解決するための手段】
【０００９】
上記課題を解決するため、本発明は、取付足の上に取り付けられた底板と、この底板上の三方を囲むように配置された断面コ字状の熱交換器と、前記底板上で且つ前記熱交換器の内側に配置された圧縮機等のタンク類と、前記熱交換器より上方で且つ前記底板に対向する位置に配置されたシュラウドと、このシュラウドの内側に配置されたプロペラファン及びこれを駆動するモータで構成された送風機とを備えた上吹きタイプの空気調和機の室外機において、前記コ字状の熱交換器は、室外機の四側面の三面から空気を吸込むように配置され、前記室外機の四側面のうち熱交換器が配置されていない一側面を正面として構成すると共に、前記底板下部の取付足内部に、前記圧縮機及び送風機を制御するための電気箱を配置したことを特徴とする。
【００１０】
ここで、前記プロペラファンを上面から見て反時計回りに回転するように構成すると共に、前記タンク類を、室外機の正面側で且つ正面に向かって右側に配置すると更に良い。また、前記タンク類は圧縮機であり、この圧縮機全体を、正面に向かって室外機中央部よりも右側に寄せて配置するようにすると良い。
【００１１】
前記プロペラファンを上面から見て時計回りに回転するように構成するものでは、前記タンク類を、室外機の正面側で且つ正面に向かって左側に寄せて配置すると良い。
【００１２】
本発明の他の特徴は、取付足の上に取り付けられた底板と、この底板上の三方を囲むように配置された断面コ字状の熱交換器と、前記底板上で且つ前記熱交換器の内側に配置された圧縮機等のタンク類と、前記熱交換器より上方で且つ前記底板に対向する位置に配置されたシュラウドと、このシュラウドの内側に配置された送風機と、前記圧縮機及び送風機を制御するための電気品を収納する電気箱とを備えた空気調和機の室外機において、前記底板下部の取付足内部に前記電気箱を設置したことにある。
【００１３】
ここで、前記取付足の両側にはフォークリフトのフォークを挿入するための差込口が設けられ、前記両側に設けられた差込口の間に前記電気箱が設置されるようにすると良い。更に、前記電気箱は、前記取付足のうちの室外機の前面及び背面に配置された部分に固定設置すると良い。
【発明の効果】
【００１４】
本発明によれば、空気調和機の室外機において、断面コ字状の熱交換器は、室外機の四側面の三面から空気を吸込むように配置され、前記室外機の四側面のうち熱交換器が配置されていない一側面を正面として構成すると共に、底板下部の取付足内部に、圧縮機及び送風機を制御するための電気品を収納する電気箱を配置するように構成しているので、通風抵抗となっていた電気箱が前記断面コ字状の熱交換器の内部に配置されていないから、室外機内での通風抵抗が大幅に低減され、これによって騒音低減化を向上できると共にファンへの入力低減も図れ、省エネ化を更に向上できる効果もある。
【００１５】
ここで、室外機内部に配置されたプロペラファンが、上面から見て反時計回りで回転するように構成された室外機において、底板の上に配置される圧縮機等のタンク類を、室外機の通風抵抗を更に低減でき、更なる騒音低減及びファン入力低減を実現できる。
【００１６】
また、室外機内部に配置されたプロペラファンが、上面から見て時計回りに回転するように構成された室外機の場合には、底板の上に配置された圧縮機等のタンク類を、室外機の正面側で且つ正面に向かって左側に寄せて配置するように構成することにより、上記と同様に、室外機の通風抵抗を低減して更なる騒音低減及びファン入力低減を実現できる。
【発明を実施するための最良の形態】
【００１７】
以下、本発明の実施例を、図面を用いて説明する。
【実施例１】
【００１８】
図１は、本発明の実施例１に係る空気調和機の室外機の正面断面図、図２は図１に示す室外機を上から見た平面図である。
【００１９】
これらの図に示すように、室外機１０１は、取付足１１５の上に設置された枠体１０１Ａ及び底板１１４、この底板の上に配置された圧縮機等のタンク類１１２，底板１１４に対向して上方に配置されたシュラウド１１０、このシュラウドの内部に設置され送風機を構成するプロペラファン１０７及びこれを回転させるモータ１０８、この送風機上流側に配置された熱交換器１０６などから構成されている。前記枠体１０１Ａは正面１０２，背面１０３，右側面１０４及び左側面１０５で構成され、前記モータ１０８は、枠体１０１Ａの正面１０２と背面１０３を構成する枠体に跨って固定されたモータクランプ１０９に設置されている。
【００２０】
前記熱交換器１０６は、室外機を構成する四つの側面のうちの三面にコ字状に配置され、外部の空気は、熱交換器を配置した三面から吸込まれ、前記送風機により上方に排風されるように構成されている。熱交換器が配置されていない室外機の残りの一側面は室外機の正面１０２として構成され、開閉可能なカバーで覆われている。本実施例の室外機は、上記のように上吹きタイプに構成されており、前記底板１１４の下部の前記取付足１１５内部には電気箱１１１が配置され、この電気箱１１１は前記取付足１１５或いは前記底板１１４の下部に固定設置されている。１１６は室外機の運搬時にフォークリフトのフォークを挿入できるようにした差込口で、この差込口１１６は前記取付足１１５のうち室外機の前面及び背面側に配置された部分の各両側に設けられ、フォークリフトの二本のフォークを挿入してできるようにしている。前記電気箱１１１は両側の差込口１１６の間に設置され、フォークを挿入する際にフォークが電気箱に当たらないようにしている。また、前記差込口１１６は、室外機を設置した後、室内機と接続される冷媒配管の取出口としても使用することができる。
【００２１】
なお、ファンの回転方向は矢印１１３で示すように反時計回りとなっており、圧縮機等のタンク類１１２は室外機正面１０２に向かって右側、奥行方向では正面側に配置されている。
【００２２】
図３，図４に、本実施例との比較のために、従来の空気調和機の室外機を示す。これらの図において、図１，図２と同一符号を付した部分は同一又は相当する部分を示す。図に示すように、従来の空気調和機の室外機においては、電気箱１１１は、底板上方の空間で、且つ圧縮機等タンク類１１２の上方のファン１０７に近いところに配置されていた。このため、電気箱１１１はファンの上流側の空気流路となる空間の一部を塞いでおり、このため、騒音が増加すると共にファン入力増加の原因となっているが、従来はこの問題を解決するために、底板の上部空間内で電気箱を適正配置する工夫が為されているにとどまっていた。
【００２３】
図５は、同一風量の室外機とした場合の電気箱配置の影響（送風性能）を比較した図である。図５において、横軸は電気箱の配置位置を示し、縦軸はある目標風量を実現するために必要なファンの回転数比を示している。電気箱横置きを基準（回転数比１）として、電気箱縦置きの場合、電気箱下置き（本発明）の場合の回転数比を示している。この図から、電気箱横置きと比較して、電気箱縦置きでは回転数を７％低減できているが、本発明の電気箱下置きでは回転数を１０％低減できていることがわかる。これを騒音と軸動力（ファン入力×モータ効率）の低減量に換算すると、電気箱縦置きでは、騒音を約１.９ｄＢ低減、軸動力も約２０％低減できるが、本発明の電気箱下置きでは、騒音を約２.７ｄＢ低減、軸動力も約２７％低減でき、本発明の電気箱下置き構造により、更に大幅な騒音低減効果及び軸動力低減効果を達成することができる。
【００２４】
図６は、図１，図２に示す実施例１の一部変形例を示す室外機の平面図で、図において、図１，図２と同一符号を付した部分は同一又は相当する部分を示す。図２に示す実施例では、室外機ファンの回転方向が反時計回りとなっているが、図６の例では、ファンの回転方向を時計回りとした例である。図６の例では、圧縮機等のタンク類１１２を室外機正面１０２に向かって左側、奥行方向では正面側に配置したもので、これによって図２の実施例と同様に騒音をより低減でき、ファン入力もより低減することができる。なお、この実施例においても、電気箱１１１は、実施例１と同様、底板１１４の下部空間に設置されており、図５に示す実施例１の効果と同様の効果が得られるものである。
【００２５】
ここで、図２及び図６に示すように、ファンの回転方向に対してタンク類の設置位置を工夫した本発明の実施例における更なる騒音低減効果及びファン入力低減効果を図７及び図８により説明する。
【００２６】
図７は図４と同じ従来の室外機であって、ファン回転方向は反時計回りで、タンク類１１２の設置位置を、正面から見て左側で且つ正面１０２側としているものにおける内部空気流れを説明する図である。図８は本実施例における室外機の内部空気流れ図を説明する図で、図２と同じ構成とした場合の例を示す。
【００２７】
四側面の内三側面から空気を吸込むタイプの室外機において、図７に示す従来の配置構成のものでは、ファン上流において、熱交換器１０６を通過して流入した室外機内部における空気流れ２０１は、ファン１０７の回転方向に旋回しながらファンに吸込まれる。図７の室外機では、電気箱１１１を正面１０２に、圧縮機等のタンク類１１２を正面１０２に向かって左側に配置しているが、このような配置では図７に示すように、空気の流れは電気箱１１１や圧縮機等のタンク類１１２に衝突ポイント２０２で衝突する。即ち、従来の室外機におけるような電気箱とタンク類の配置構成では、室外機内部の空気の流れを滑らかにすることはできず、このため騒音増加やファン入力増加の原因となっていた。
【００２８】
これに対し、図８に示す本実施例における室外機では、電気箱１１１を底板１１４の下部に配置し、圧縮機等のタンク類１１２は正面から見て右側の前面側に配置している。この構成により、図８に示すように、ファン１０７上流側の室外機内部の空気流れは、ファンの回転方向に旋回しながらファンに吸込まれが、空気流れの流路には電気箱と圧縮機等のタンク類が配置されていないので、空気は滑らかに流れてファン上部に排出されている。このため、騒音低減及びファンへの入力低減を実現することができる。また、本実施例では、電気箱１１１を底板１１４の下部に配置しているため、室外機右側面１０４，同左側面１０５における熱交換器１０６の端面と正面１０２との距離Ｌ２を、図７に示す従来の対応する部分の距離Ｌ１に比較し、短くすることができる。これにより、本実施例では、熱交換器１０６の周長を長くすることも可能となり、熱交換器の周長を長くすることでファン上流側の周方向吸込面積を広くすることができ、ファン性能を更に向上することができる。また、熱交換器の高さを低減することも可能となり、これにより室外機の高さを低くすることもできる。
【００２９】
このように、図８の本実施例では、電気箱と圧縮機等のタンク類の配置の適正化に加え、熱交換器周長も長く構成できるので、室外機の大幅な騒音低減及びファン入力低減を実現でき、この結果、室外機の小形化も可能となる。なお、図２の実施例の効果を図８で説明したが、図６の本実施例のものでも図２の場合と同様の効果が得られる。
【図面の簡単な説明】
【００３０】
【図１】本発明の空気調和機の室外機の実施例１を示す正面断面図である。
【図２】図１の平面図である。
【図３】従来の空気調和機の室外機の正面断面図である。
【図４】図３の平面図である。
【図５】本発明と従来の室外機における電気箱配置構成に対する送風性能を比較して説明する説明図である。
【図６】本発明の他の例を示す図で、図２に相当する平面図である。
【図７】従来の空気調和機の室外機における内部の空気流れを説明する平面図である。
【図８】本発明の実施例１における室外機内部の空気流れを説明する平面図である。
【符号の説明】
【００３１】
１０１  空気調和機の室外機
１０２  室外機正面
１０３  室外機背面
１０４  室外機右側面
１０５  室外機左側面
１０６  熱交換器
１０７  プロペラファン
１０８  モータ
１０９  モータクランプ
１１０  シュラウド
１１１  電気箱
１１２  圧縮機等のタンク類
１１３  ファン回転方向
１１４  底板
１１５  取付足
１１６  差込口（運搬用）
２０１  室外機内部の流れ
２０２  衝突ポイント
【図１】
2009052856.tif 000003
【図２】
2009052856.tif 000004
【図３】
2009052856.tif 000005
【図４】
2009052856.tif 000006
【図５】
2009052856.tif 000007
【図６】
2009052856.tif 000008
【図７】
2009052856.tif 000009
【図８】
2009052856.tif 000010